(57)【要約】      （修正有）【課題】加熱エレメントを使用してもウェットワイプの保湿を維持できる容器を提供する。【解決手段】ウェットワイプ１３を保持するための内部コンパートメントと、蓋１２と、保湿スプレーディスペンサーとを有するハウジングを有するウェットワイプコンテナである。蓋１２は、ウェットワイプ１３がそれを通して分配される分配開口部と、使用されていない間に分配開口部をカバーするための分配開口蓋１４とを有している。保湿スプレーディスペンサーは、出口部を有しており、出口部は、ハウジングの中の貯蔵位置にあるウェットワイプの上に直接的に流体を分配するように位置付けされている。【選択図】図１
2019108168.tif 000002
【特許請求の範囲】
【請求項１】
ウェットワイプを含有するための内部コンパートメントを有するウェットワイプハウジングと、
前記ハウジングに接続されている蓋と、
前記ハウジングの中の貯蔵位置にある前記ウェットワイプの上に直接的に流体を分配するように位置付けされている出口部を有するスプレーディスペンサーと
を備えるウェットワイプコンテナ。
【請求項２】
前記ウェットワイプハウジングが、前記スプレーディスペンサーをしっかりと受け入れるように適合されている内部凹部を有している、請求項１に記載のウェットワイプコンテナ。
【請求項３】
前記ウェットワイプハウジングの前記内部凹部が、前記スプレーディスペンサーを受け入れて固定するための少なくとも１つのアライメント特徴を有している、請求項２に記載のウェットワイプコンテナ。
【請求項４】
前記ウェットワイプを加温することを容易にするために、前記ウェットワイプハウジングまたは前記蓋の中にヒーターをさらに備える、請求項１に記載のウェットワイプコンテナ。
【請求項５】
前記蓋が、分配開口部を有しており、前記分配開口部を通して、少なくとも１つのワイプが分配され、分配システムが、分配蓋をさらに備える、請求項１に記載のウェットワイプコンテナ。
【請求項６】
前記スプレーディスペンサーが、前記流体を分配するための押しボタンアクチュエーターを有している、請求項５に記載のウェットワイプコンテナ。
【請求項７】
前記ウェットワイプコンテナが、前記押しボタンアクチュエーターと接触している中間押しボタンをさらに備え、前記中間押しボタンは、前記蓋が閉位置にあるときにアクセス可能である、請求項６に記載のウェットワイプコンテナ。
【請求項８】
前記分配蓋が、拡張ラグを有しており、前記拡張ラグは、前記分配蓋が閉位置にあるときに、前記中間押しボタンまたはスプレーディスペンサーを押し下げる、請求項７に記載のウェットワイプコンテナ。
【請求項９】
前記中間押しボタンは、前記分配蓋が閉位置にあるときにアクセス可能である、請求項７に記載のウェットワイプコンテナ。
【請求項１０】
前記押しボタンアクチュエーターは、前記蓋が閉位置にあるときにアクセス可能である、請求項６に記載のウェットワイプコンテナ。
【請求項１１】
前記分配蓋が、拡張ラグを有しており、前記拡張ラグは、前記分配蓋が閉位置にあるときに、前記押しボタンアクチュエーターを押し下げる、請求項１０に記載のウェットワイプコンテナ。
【請求項１２】
前記押しボタンアクチュエーターは、前記分配蓋が閉位置にあるときにアクセス可能である、請求項１０に記載のウェットワイプコンテナ。
【請求項１３】
ウェットワイプを含有するための内部コンパートメントを有するウェットワイプハウジングと、
ワイプアクセス開口部を有する前記ウェットワイプハウジングに接続されている蓋と、  閉位置にあるときに前記ワイプアクセス開口部をカバーするように適合されているワイプアクセスドアと、
アクチュエーター、および前記蓋が閉位置にある状態で前記ウェットワイプの上に直接的に流体を分配するように位置付けされている出口部を有するスプレーポンプメカニズムと
を備えるウェットワイプコンテナシステム。
【請求項１４】
前記スプレーポンプメカニズムが、前記ウェットワイプハウジングの中に固定されている、請求項１３に記載のウェットワイプコンテナシステム。
【請求項１５】
前記アクチュエーターは、前記蓋が前記閉位置にある状態で、直接的または間接的にのいずれかで、押し下げることが可能である、請求項１３に記載のウェットワイプコンテナシステム。
【請求項１６】
前記閉位置に前記ワイプアクセスドアを固定するための第１のラッチと、前記蓋を前記ウェットワイプハウジングに固定するための第２のラッチとをさらに備える、請求項１３に記載のウェットワイプコンテナシステム。
【請求項１７】
前記ワイプアクセスドアが、開位置に向けて付勢されている、請求項１６に記載のウェットワイプコンテナシステム。
【請求項１８】
前記第１のラッチが、押しボタンラッチである、請求項１６に記載のウェットワイプコンテナシステム。
【請求項１９】
内部コンパートメントを有するコンテナの中にウェットワイプを設置することであって、分配開口部を有する蓋が前記コンテナに接続されており、分配蓋は閉位置にあるときに前記分配開口部をカバーするように適合されている、設置することと、
流体のためのコンパートメント、アクチュエーター、および前記ウェットワイプの近位に位置付けされている出口部を有するスプレーポンプメカニズムを提供することと、
前記蓋が閉められているかまたは閉位置にある間に、前記アクチュエーターを押し下げることと、
前記内部コンパートメントの中の前記ウェットワイプの上に直接的に前記流体を分配することと
を備える、ワイプを湿らせる方法。
【請求項２０】
前記アクチュエーターを押し下げるときに、前記蓋が前記閉位置にある状態で、前記ディスペンサー蓋の上の拡張ラグに係合し、前記アクチュエーターを直接的にまたは間接的にのいずれかで押し下げる、請求項１９に記載の方法。
【発明の詳細な説明】
【技術分野】
【０００１】
関連出願の相互参照
本出願は、２０１３年１２月１９日に出願された米国仮出願第６１／９１８，６２１号の優先権を主張し、そのすべての内容は、その全体が、本明細書において、参照により本開示の中へ組み込まれている。
【０００２】
本開示は、ベビーワイプウォーマーに関し、とりわけ、湿分を維持し、ワイプの変色を防止するために、ワイプに湿分を提供するように適合されている流体ポンプディスペンサーを有するベビーワイプウォーマーに関する。
【背景技術】
【０００３】
従来のベビーワイプウォーマーは、ワイプウォーマーハウジングの中に、事前に湿らせた小さい紙または合成の（不織布の）ウェットペーパータオルを貯蔵している。ワイプは、主として、幼児、小さな子どもなどの皮膚を洗浄および／または保湿するために使用されている。ウェットペーパータオルがそのコンテナから取り出された後に、クレンザー、ローション、および保存料などのような様々な保湿剤が、ワイプを湿らせるために供給される。冷たいウェットワイプを幼児の皮膚に適用する代わりに、多数の加温デバイスが、幼児を安心させるためにワイプに温かさを提供するように利用可能である。
【０００４】
これらの加温エレメントの多くは、電気的に動作する。しかし、温かさをワイプコンテナに加えることは、熱がワイプの中の湿分を蒸発させるという点において、ワイプウォーマーとその中に含有されているワイプとの使用目的に本質的に影響を与える。また、ワイプを加熱することは、望ましくない変色をワイプに引き起こす。
【０００５】
したがって、これらの必要性に効果的に対処するように構成されたワイプウォーマーを有するという長年にわたる必要性が存在している。
【０００６】
本開示の様々な例示的な実施形態が、詳細に説明されることとなり、ここで、同様の参照番号は、以下の図を参照して、同一または類似のコンポーネントまたはステップを表している。
【図面の簡単な説明】
【０００７】
【図１】本開示による、スプレーポンプメカニズムと、ハウジングと、蓋と、ワイプアクセスドアとを有する例示的なウェットワイプコンテナの上側斜視図。
【図２】ウェットワイプコンテナの分解図。
【図３】閉位置にあるワイプアクセスドアを有するウェットワイプコンテナを示す図。
【図４】開位置にあるワイプアクセスドアを備えるウェットワイプコンテナを示す図。
【図５】ウェットワイプコンテナのポンプメカニズムを作動させるための第１の実施形態を示す、図４のＡ−Ａに関する断面図。
【図６】図３のＢ−Ｂに関するウェットワイプコンテナの断面図。
【図７】スプレーポンプメカニズムの分解図。
【図８】本開示による別の例示的なウェットワイプコンテナの上側斜視図。
【図９】ウェットワイプコンテナのポンプメカニズムを作動させるための第２の実施形態を示す、図９のＣ−Ｃに関する断面図。
【図１０】閉位置にある蓋を有するウェットワイプコンテナに関する第１の構成の正面図。
【図１１】ウェットワイプコンテナの後方斜視図。
【図１２】開位置にある蓋を有するウェットワイプコンテナの正面図。
【図１３】ウェットワイプコンテナの背面図。
【図１４】開位置にある蓋を有するウェットワイプコンテナの側面図。
【図１５】ウェットワイプコンテナの後方斜視図。
【図１６】閉位置にある蓋を有するウェットワイプコンテナの側面図。
【図１７】図１６の断面線Ｄ−Ｄに関するウェットワイプコンテナの部分断面図。
【図１８】ウェットワイプコンテナの中に設けられているポンプメカニズムの拡大図。
【図１９】ウェットワイプコンテナの中のポンプメカニズムを作動させるための第３の実施形態を示す図。
【図２０】ウェットワイプコンテナの中のポンプメカニズムを作動させるための第４の実施形態を示す図。
【図２１】開位置にあるワイプアクセスドアを有するウェットワイプコンテナハウジングのための別の構成の上側斜視図。
【図２２】ウェットワイプコンテナの後方斜視図。
【図２３】ウェットワイプコンテナの正面図。
【図２４】ウェットワイプコンテナの背面図。
【図２５】ウェットワイプコンテナの側面図。
【図２６】閉位置にあるワイプアクセスドアを有するウェットワイプコンテナの上側斜視図。
【図２７】ウェットワイプコンテナの後方斜視図。
【図２８】ウェットワイプコンテナの正面図。
【図２９】ウェットワイプコンテナの背面図。
【図３０】ウェットワイプコンテナの側面図。
【図３１】ウェットワイプコンテナの上面図。
【図３２】ウェットワイプコンテナのための例示的な概略回路図。
【発明を実施するための形態】
【０００８】
ここで、本発明の特定の実施形態が、様々な図を参照して、より詳細に説明されることとなり、それは、本発明を限定する目的のためのものではない。
【０００９】
図１〜図６は、ウェットワイプコンテナ１０のための第１の構成を示している。示されているように、ウェットワイプコンテナ１０は、ハウジング１１の中のワイプ１３の束を温めるおよび／または保湿するように適合されている。ウェットワイプコンテナ１０は、ハウジング１１と、蓋１２と、ワイプアクセスドア１４と、スプレーポンプメカニズム２０とを備えることが可能である。ウェットワイプコンテナ１０は、図の中に提供されているものに示されているものに加えて、様々なハウジング形状と、構成と、幾何学形状と、サイズと、テクスチャー加工とを有するように形成することが可能であるということが理解されるべきである。
【００１０】
図２は、ウェットワイプコンテナ１０の分解図を示している。ウェットワイプコンテナ１０は、プラスチックポリマー、金属、および／または任意の他の適切な材料組成物などのような、任意の剛体材料から製作することが可能である。
【００１１】
ハウジング１１は、閉鎖されている下側端部と開放されている上側端部とを有するように構成されており、蓋１２が、開放されている上側端部をカバーするために枢動可能に取り付けられている。コンテナハウジング１１は、主本体部材５０と、ベース部材５４と、蓋１２とから形成されている。本体部材５０は、様々な外部側ハウジング壁部（たとえば、前方壁部５１ａ、後方壁部５１ｂ、第１の側方壁部５１ｃ、第２の側方壁部５１ｄ、およびベース壁部５１ｅ）によって、周囲を形成されている。様々な外部ハウジング壁部５１ａ〜５１ｄの下側ベース端部５２は、ベース壁部５１ｅに取り付けられている。ウェットワイプコンテナ１０の形状は、様々な形状をとるように輪郭付けすることが可能である。図に示されているように、本体部材５０は、滑らかに湾曲した側部および縁部を有することが可能である。
【００１２】
ベース部材５４は、表面（たとえば、卓上、床面、ナイトスタンドなど）の上でウェットワイプコンテナ１０を支持する。（図５〜図６に示されているような）パッドまたは複数の調節可能なフットパッドは、ベース部材５４の下側表面の上での使用に適応することが可能である。
【００１３】
ハウジング１１は、ワイプ１３の束を保持するために内側のコンパートメント１６を画定している。内側のコンパートメント１６の形状は、ワイプ１３の束の形状と実質的に同様にすることが可能である。
【００１４】
スプレーポンプ凹部７０は、ハウジング１１の壁部のうちの１つの中に一体化させることが可能である。スプレーポンプ凹部７０は、ワイプ１３の束がハウジング１１の内側のコンパートメント１６の中のその貯蔵位置に含有されている状態で、湿らせるための、および／またはワイプ１３の束の上に直接的に保湿剤を提供するための、スプレーポンプメカニズム２０を受け入れて固定するように適合されている。代替的に、スプレーポンプメカニズム２０は、より詳細に以下に説明されることとなるように、ワイプ１３の束の上に直接的に湿分を提供するための出口部を備えるハウジング１１の外側に位置付けさせることが可能である。
【００１５】
内側前方壁部１６ａは、前方壁部５１ａからわずかにインセット（inset）されて設けられている。内部ワイプハウジングコンパートメント１６の一部分である内側前方壁部１６ａは、ワイプ１３の束をスプレーポンプメカニズム２０から分離する。スプレーポンプメカニズム２０は、ハウジング１１の中において、ワイプ１３の束にスプレーすることが可能となる任意の場所に位置付けさせることが可能であるということが理解されるべきである。すなわち、スプレーポンプメカニズム２０は、ワイプコンパートメント１６の側方壁部と、蓋１２と、ベース壁部５１ｅとのうちのいずれかの中に、またはハウジング１１に隣接して外部に、位置付けさせることも可能である。
【００１６】
凹部７０は、スプレーポンプメカニズム２０の位置決めおよび固定を容易にするいくつかのアライメント特徴を含むことが可能である。凹部７０は、トラック７２を有することが可能であり、トラック７２は、スプレーポンプメカニズム２０の突出する外側縁部７７をスライド可能に受け入れるように凹んでいることが可能である。また、凹部７０は、下側リップ部７３を含むことが可能であり、下側リップ部７３は、スプレーポンプメカニズム２０の底部表面７８を保持し、それがハウジング１１に対して横方向に移動することを防止する。また、内側コンパートメント１６の前方壁部１６ａは、内向きに凹んだ部分７４を含むことが可能であり、内向きに凹んだ部分７４の上に、スプレーポンプメカニズム２０の上で外向きに突き出ているレッジ部７９が置かれる。トラック７２と、下側リップ部７３と、凹んだ部分７４と、ならびに、凹部７０の凹形表面７１と、スプレーポンプメカニズム２０の上の相補的な凸形表面７６とは、すべて、メカニズム２０の整合を容易にする（その理由は、メカニズム２０は、ハウジング１１の中で確実に位置決めされるようにスライドするからである）。
【００１７】
しっかりと位置付けされ、ハウジング１１の中に保持されているスプレーポンプメカニズム２０を有する利点は、より詳細に以下に議論されることとなるように、蓋１２が閉位置にある状態で、ユーザーがスプレーポンプメカニズム２０の中の流体をワイプ１３の束の上に直接的にスプレーすることを可能にするということである。
【００１８】
ウェットワイプコンテナ１０は、枢動可能に係合されている上蓋１２を含む。ハウジング１１の中の内部ワイプハウジングコンパートメント１６の中のワイプ１３にアクセスするために、および新しいワイプ１３の束を装填するために、蓋１２は、ハウジング１１に対して開閉することができる。ここで、蓋１２は、外部側ハウジング壁部５１の中のヒンジ５３の周りに枢動し、開位置と閉位置との間で回転することが可能である。閉位置にあるときには、蓋部材１２は、蓋部材１２の裏側から延在するラッチ突出部（図示せず）などのような第１の固定メカニズムによって、適切な場所に保持され、それは、ハウジング１１の中の前方壁部５１ａの上側に設けられている受け入れ溝部８０の中へスナップ嵌合する。蓋部材１２は、たとえば、ドアスプリングを使用するなど任意の従来の方法を利用して、開閉することが可能である。
【００１９】
蓋部材１２は、弾性蓋シール１０６を含むことが可能である。使用される材料は、気密シールを形成するために、プラスチックポリマー、ゴムなど、および／または任意の他の適切な材料とすることが可能である。蓋シール１０６は、内側のコンパートメント１６の上側縁部に対抗して置かれており、内側のコンパートメント１６および環境からの空気および／または湿分の流体連通を防止するために、蓋シール１０６がわずかに変形するようになっている。これは、ワイプ１３の束が乾燥または褐色化することを防止するのを助ける。
【００２０】
図６に示されているように、蓋シール１０６は、スプレーポンプメカニズム２０に当接して置くことが可能であり、出口部２８が、気密シールの中に保持され、内側のコンパートメント１６と流体連通するようになっている。このように、出口部２８は、内側のコンパートメント１６が外側の環境からシールされたままの状態で、スプレーポンプメカニズム２０からワイプ１３の束の上に直接的に流体をスプレーすることが可能である。
【００２１】
弾性蓋シール１０６は、様々な材料で蓋１２の上にオーバーモールドすることが可能であり、様々な材料は、たとえば、熱可塑性のポリウレタン（ＴＰＵ）または熱可塑性のポリエステル（ＴＰＥ）、ポリオレフィンエラストマー（ＰＯＥ）を含むことが可能である。他の市販の材料は、Ｅｎｇａｇｅと、Ｓａｒｌｉｎｋと、Ｔｅｘｉｎと、Ｄｅｓｍｏｐａｎと、Ｄｙｎａｆｌｅｘと、Ｖｅｒｓａｌｌｏｙと、Ｖｅｒｓａｆｌｅｘと、Ｅｌａｓｔｏｌａｎとを含むことが可能である。上記の市販の材料のうちのいくつかまたはすべては、会社が材料を製造および／または販売する商標である可能性があるということが留意されるべきである。
【００２２】
図３は、閉位置にある蓋部材１２を示している。蓋部材１２が閉められているとき、蓋部材１２は、ハウジング１１の内部にある内部ワイプハウジングコンパートメント１６の開放端部を外側から部分的に囲むので、蓋部材１２は、部分的に上側ハウジング壁部になる。蓋部材１２を開けることは、ハウジング１１の内側コンパートメント１６にアクセスし、ワイプ１３の束（層状のまたは相互に折り込まれた束）を再充填することを可能にし、ワイプ１３の束は、図４に示されているように、分配蓋またはワイプアクセスドア１４の下に設けられているワイプアクセス開口部または分配開口部１５を通して、使用のために個別に引き出されることとなる。
【００２３】
図４は、開位置にあるワイプアクセスドア１４を図示している。ワイプアクセスドア１４は、蓋１２の周りに枢動して開く。ワイプアクセスドア１４は、蓋１２のヒンジ５３に対して離れたアクセスドアヒンジ８６の周りに独立して枢動する。開位置では、ユーザーは、ワイプ１３にアクセスし、ワイプアクセスドア１４の下に設けられているワイプアクセス開口部１５を通してワイプ１３を引っ張り出すことが可能である。ワイプアクセスドア１４は、第２の固定メカニズム（たとえば、図５に示されているような第２のラッチ１９など）によって、固定して閉められる。第１または第２の固定メカニズムは、たとえば、解放可能にロックする押しボタンラッチ８２、スナップロック、ラッチングメカニズムなどによって、解放可能な接続として構成させることが可能である。
【００２４】
また、蓋１２とワイプアクセスドア１４とは、弾性ワイプアクセスドアシール１０２と、対応する当接表面１０４とを含むことが可能であり、当接表面１０４は、ワイプアクセスドア１４から離れて突き出ている。弾性ワイプアクセスドアシール１０２は、弾性蓋シール１０６と同様の方式でオーバーモールドすることが可能である。弾性ワイプアクセスドアシール１０２は、ワイプアクセス開口部１５を取り囲むリングの形態とすることが可能であり、それは、ワイプアクセスドアが閉位置にあるときに、当接表面１０４に係合し、内側のコンパートメント１６と外側の環境との間の空気の流体連通を防止するようになっている。ワイプアクセスドア１４が閉められると、当接表面１０４は、弾性ワイプアクセスドアシール１０２をわずかに変形させ、気密境界を形成する。弾性ワイプアクセスドアシール１０２と当接表面１０４とは、気密接続を生成させるのに適切な様々な形状またはサイズで形成させることが可能である。そのうえ、弾性ワイプアクセスドアシール１０２は、弾性蓋シール１０６に関して上記にリストアップされているものを含む、様々な材料から作製することが可能である。
【００２５】
図５に示されているように、ワイプアクセスドア１４には、ドア１４を開位置へ付勢するための弾性付勢メカニズムを設けることが可能である。弾性付勢メカニズムは、ヒンジスプリング８４とすることが可能である。ヒンジスプリング８４は、ワイプアクセスドア１４が閉位置へ移動するときに屈曲および／または撓む可撓性の弾性部材として構成させることが可能である。また、ヒンジスプリング８４は、アクセスドアヒンジ８６に位置付けされる捩じりスプリングとするか、または押しボタンラッチ８２が第２のラッチ１９を解放するときにワイプアクセスドア１４を開けるための任意の他の適切な付勢メカニズムとすることが可能である。
【００２６】
より詳細に図３２に示され説明されているように、ＬＥＤライトまたはインジケーター９０は、加熱エレメント３０が電力供給されているときを指示するように設けることが可能である。ライト９０は、任意の適切な光源とすることが可能であり、ハウジング１１、蓋１２、ワイプアクセスドア１４、またはウェットワイプコンテナ１０内の任意の他の場所に位置付けさせることが可能である。また、ライト９０は、異なる温度状態を表すために様々な周波数で断続的に振動することが可能であり、たとえば、ウェットワイプコンテナ１０が所定の温度に到達したときなどに点滅する。同様に、ライト９０は、様々な異なる色の間で交互に入れ替わり、加温プロセスの様々な段階を指示することが可能である。
【００２７】
図５〜図６は、ウェットワイプコンテナ１０の断面図を示している。中間押しボタン４０は、蓋１２の中に設けることが可能である。ワイプアクセスドア１４が開位置にあるときに、ユーザーは、順に、中間押しボタン４０を押すことが可能であり、中間押しボタン４０は、スプレーポンプメカニズム２０の上の押しボタン２４を押し下げ、内部コンパートメント１６の中へ流体をスプレーすることとなる。そのうえ、拡張ラグ２５は、ワイプアクセスドア１４から突出することが可能であり、それは、ワイプアクセスドア１４が閉位置へ移動させられたときに、中間押しボタン４０を押し下げることとなる。複数のメカニズム（それによって、ユーザーが、スプレーポンプメカニズム２０の上の押しボタン２４を押し下げることが可能である）が、より詳しく以下で議論されている。また、押しボタン２４は、（図２および図７に示されているように）突起部またはアライメントタブ２４ａを含み、それが分散されるときに、ワイプ１３の束の方向に向けられた状態に出口部２８を維持することが可能である。
【００２８】
加熱エレメント３０は、ウェットワイプコンテナ１０の中に設けられている。加熱エレメント３０は、ハウジングの中に設けられ、ウェットワイプコンテナ１０の中の内容物を加熱する。すなわち、加熱エレメント３０は、スプレーポンプメカニズム２０の中の内部流体コンパートメント２２と、内部ワイプコンパートメント１６とを温めるために設けることが可能である。加熱エレメント３０は、蓋１２、ハウジング１１、内部コンパートメント１６、またはウェットワイプコンテナ１０の中の様々な位置に配設され、その加温目的を実現することが可能である。ワイプ１３の束の上方に加熱エレメント３０を配設する利点は、最上のワイプと、使用されることとなる次のワイプとを温かく維持するということである。
【００２９】
様々な市販の加熱エレメントから選択されるヒーターが使用され、ウェットワイプコンテナ１０の中の様々なエレメントに加熱を作り出し、提供することが可能である。また、加熱エレメント３０は、加熱エレメント３０の温度および状態に関する情報をユーザーに提供するために、ＬＥＤライト９０および／またはディスプレイ（図示せず）と電子的に統合させることが可能である。
【００３０】
スプレーポンプメカニズム２０は、ウェットワイプコンテナ１０のハウジング１１の中に一体化される。スプレーポンプメカニズム２０は、流体２３を保持することができる内部液体コンパートメント２２を含む。コンパートメント２２は、内部ワイプハウジングコンパートメント１６から分離させることが可能である。スプレーポンプメカニズム２０は、ワイプハウジングコンパートメント１６の中に貯蔵されているワイプ１３に保湿流体を送達するために、内部液体コンパートメント２２から流体２３を引き出すように動作可能である。このように、コンパートメント２２をハウジング１１の外側に配設させることが可能であり、流体２３が、出口部２８を通して引き出され、コンパートメント１６の中に貯蔵されているワイプ１３に直接的に送達されるようになっている。
【００３１】
図５〜図６に詳細に示されているように、スプレーポンプメカニズムの押しボタン２４は、図５〜図６および図１７〜図１９を参照して説明されることとなるように、様々な異なる構成で設けることが可能である。スプレーポンプメカニズム２０は、電子的にまたは機械的に作動させることが可能である。
【００３２】
図１および図５〜図６に示されているように、押しボタン２４は、様々な異なる方式で作動させることが可能である。図１に示されているように、押しボタン２４は、蓋１２が開位置にあるときに露出され、ユーザーによって手動で押し下げられ、ワイプ１３の束の上に流体２３をスプレーすることが可能である。図４に示されているように、ユーザーは、押しボタン２４を作動させるために中間押しボタン４０を押すことが可能である。加えて、図６に示されているように、ワイプアクセスドア１４の拡張ラグ２５は、中間押しボタン４０を押し下げることが可能であり、順に、中間押しボタン４０は、押しボタン２４を作動させる。
【００３３】
図６に示されているように、ワイプアクセスドア１４が押し下げられると、拡張ラグ２５は、中間押しボタン４０を押し、中間押しボタン４０は、押しボタン２４を押し、それによって、流体コンパートメント２２から押しボタン２４の中の流体チャネル２６の中へ流体２３を引き出し、押しボタン２４のヘッドの中の出口ノズル２８から湿潤スプレー２７を分散させる。ワイプアクセスドア１４が閉位置にあるときに、押しボタン２４は、ワイプアクセスドア１４が再び開けられるまで、押し下げられたままになることとなる。代替的な構成では、スプレーポンプメカニズム２０は、押し下げられた押しボタン２４がその押し下げられた位置から解放されるときに、湿潤スプレー２７を分配するように構成させることが可能である。
【００３４】
スプレーポンプメカニズム２０の押しボタン２４の中に配設されている出口ノズル２８は、ウェットワイプコンテナ１０のハウジングコンパートメント１６の中に流体スプレー２７を直接的に発射するように構成されている。流体スプレー２７は、蓋が閉位置または開位置にあるときに、ハウジングコンパートメント１６の中のワイプの露出された部分の上に直接的にスプレーされ、ワイプの露出された部分を完全にカバーする。
【００３５】
動作中に、ワイプの上に保湿流体２７を分散させることは、ウェットワイプウォーマー１０の中から引っ張り出されると、湿った温かいワイプ１３ａを受け取ることを確実にする。保湿流体２７は、様々なワイプ１３の加熱の間の液体の蒸発の結果としてのウェットワイプ１３の乾燥を克服するために、ワイプ１３に十分な湿分を提供する役割を果たす。
【００３６】
また、図６は、ワイプアクセスドア１４と蓋１２との間で、撓んだ位置にあるヒンジスプリング８４を示している。この構成は、ラッチメカニズム１９が押しボタンラッチ８２によって解放されるときに、ワイプアクセスドア１４を開けるように付勢するために必要な捩じり力をヒンジスプリング８４に提供する。
【００３７】
加えて、ワイプアクセス開口部１５は、幅の狭いスリット５８を有する薄い可撓性の膜５７として構成させることが可能である。図４に示されているように、ワイプ１３の束から新しいワイプ１３ａを引っ張り出すときに、およびウェットワイプコンテナ１０を準備する（priming）ときに、ユーザーは、ワイプ１３ａを取り出すために、幅の狭いスリット５８を通して自分の指を置き、薄い可撓性の膜５７をわずかに撓ませることが可能である。ワイプ１３ａが流体２３で準備されると、ワイプ１３ａは、図６に示されているように、幅の狭いスリット５８によって、薄い可撓性の膜５７の中に固定および保持され得る。加熱エレメント３０が、電力供給され、内部コンパートメント１６とワイプ１３の束とに熱を提供する間に、ワイプ１３ａは、図５に示されているように、加熱エレメント３０の間に位置付けさせることが可能である。
【００３８】
図７は、スプレーポンプメカニズム２０の分解図を示している。スプレーポンプメカニズム２０は、入口部２９ａを有する下降チューブ２９を有することが可能である。スプレーポンプメカニズム２０のハウジングの底部表面７８は、凹形にすることが可能であり、流体２３が内部コンパートメント２２から排出されるときに、流体２３が、内部コンパートメント２２の中央において、最下点７８ａに溜まることとなるようになっている。この構成では、内部流体チャネル２６の中へ流体２３を吸い込む入口部２９ａは、内部コンパートメント２２が完全に空になるまで、流体２３と持続的に流体連通することが可能である。
【００３９】
図８〜図１８は、ウェットワイプコンテナ１０のための別の構成を示している。より詳細には、図９および図１７〜図１８において、押しボタン２４は、様々な異なる方式で作動させられるように示されている。第１に、ならびに、図９および図１８に示されているように、押しボタン２４は、ワイプアクセスドア１４の下方から突き出ている拡張ラグ２５によって作動させることが可能である。図９に示されているように、ワイプアクセスドア１４が押し下げられるときに、拡張ラグ２５は、押しボタン２４を押し、それによって、流体コンパートメント２２から押しボタンの中の流体チャネル２６の中へ流体２３を引き出し、押しボタン２４のヘッドの中の出口ノズル２８から湿潤スプレー２７を分散させる。加えて、ワイプアクセスドア１４の第２のラッチ１９は、拡張ラグ２５の一体化されたワンピース部材として構成させることが可能である。
【００４０】
また、流体２３は、ワイプアクセスドア１４が開いているときに、分配することも可能である。ユーザーは、蓋１２の開放作用の間に、押しボタン２４のヘッドを押し下げることによって蓋１２が開けられるときに、ワイプ１３ａの上に保湿流体２３をスプレーすることを望む可能性もある。また、同様に、流体コンパートメント２２の中の流体２３は、蓋１２が開いているときに、分配することも可能である。すなわち、ユーザーは、押しボタン２４のヘッドを押し下げることによって、ワイプの上に保湿流体２３をスプレーすることが可能であり、それによって、ワイプ１３の上に流体スプレー２７を分配する。
【００４１】
図９は、加熱エレメント３０のための代替的な位置を示している。加熱エレメント３０は、ワイプ１３の束を加熱するために、ハウジング１１と内側ワイプコンパートメント１６との間で、後方キャビティー３４の中に位置付けさせることが可能である。また、加熱エレメント３０は、ハウジング１１と内側ワイプコンパートメント１６との間でスプレーポンプメカニズム２０の下に位置付けされている前方キャビティー３６の中に位置付けさせることも可能である。この構成では、加熱エレメント３０は、ワイプ１３の束と内部コンパートメント２２の中の流体２３の両方に隣接することが可能であり、内部流体コンパートメント２２と内部ワイプコンパートメント１６とを温めるように設けさせることが可能である。
【００４２】
図１９は、押しボタン２４がウェットワイプコンテナ１０の蓋１２の上部を通って延在する別の例示的な実施形態を図示している。このように、蓋またはワイプアクセスドア１４は押しボタン２４へのアクセスを妨害しないので、蓋またはワイプアクセスドア１４が開いているかまたは閉まっているかにかかわらず、押しボタン２４のヘッドは、いつでもアクセスすることが可能である。細長い押しボタン２４がユーザーによって直接的に押し下げられるたびに、押しボタン２４を通る流体スプレー２７は活性化させられる。そのうえ、第２のラッチ１９は、押しボタン２４とワイプアクセスドア１４との間に配設させることが可能である。
【００４３】
代替的に、図２０は、さらなる別の例示的な実施形態を示しており、そこでは、押しボタン２４が、また、蓋１２の中に設けられている第２の押しボタン１２４の下に配設されている。使用時に、第２の押しボタン１２４が押し下げられると、第１の押しボタン２４も押し下げられ、流体スプレー２７が、ハウジングコンパートメント１６の中のワイプ１３の上方に分散される。第２の押しボタン１２４は、蓋とワイプアクセスドア１４とが閉位置にあるときに作動させることが可能である。押しボタン２４のヘッドが、直接的にまたは間接的に押し下げられ、様々なワイプ１３の上に液体流体２７を分配することが可能である、様々な異なる構成が可能であるということを、当業者は理解することとなる。
【００４４】
先に図１９〜図２０に図示および説明されているように、図２１〜図３１は、ウェットワイプコンテナハウジングのための別の例示的な構成を示している。とりわけ、図２１〜図２５は、閉められている蓋１２と開けられているワイプアクセスドア１４との様々な図を示しており、ワイプ１３が、ワイプアクセス開口部１５を通してアクセスすることができるようになっている。図２６〜図３１は、閉められている蓋１２およびワイプアクセスドア１４と、組み合わせられた第２のラッチ１９および第２の押しボタン１２４との様々な図を示している。示されているように、第２の押しボタン１２４は、アクセス可能であり、押し下げることが可能であり、蓋１２とワイプアクセスドア１４とが閉められている間に、流体スプレー２７がハウジングコンパートメント１６の中のワイプ１３の上方に分散させられ得るようになっている。
【００４５】
図３２は、加熱エレメント３０の概略ダイアグラムを図示している。概略ダイアグラムは、例示的な目的のために示されている。他の適切な構成を本開示にしたがって使用することが可能であるいうことが理解されるべきである。電源４２は、加熱エレメント３０に電気を供給することが可能であり、加熱エレメント３０は、抵抗材料（たとえば、適切な金属、セラミック、複合材、または他の組み合わせなど）を通過する電気から熱を放射させる。電源４２は、交流電流（ＡＣ）または直流電流（ＤＣ）駆動とすることが可能である。
【００４６】
スイッチ４６は、加熱エレメント３０を作動させるために設けることが可能である。スイッチ４６は、加熱エレメント３０を通って流れる電流を変化させるために、概略ダイアグラムの中の任意の場所において、ワイプアクセスドア１４、蓋１２、ハウジング１１、またはウェットワイプコンテナ１０の上の任意の他の適切な場所の上に位置付けさせることが可能である。図３２は、ワイプアクセス開口部１５の周りで、蓋１２の中に配設されている加熱エレメント３０を示している。スイッチ４６は、加温プロセスの様々な段階を循環する単一のボタンスイッチ４６、またはウェットワイプコンテナについての様々な情報を表示するためのディスプレイ（図示せず）を含むことが可能であるマルチボタンパネル４６とすることが可能である。追加的に、加熱エレメント３０は、ウェットワイプコンテナ１０を電源４２に差し込むとすぐに作動させることが可能である。
【００４７】
また、加熱エレメント３０は、ＬＥＤライトまたはインジケーター９０に接続させることが可能である。先に議論したように、ＬＥＤライト９０は、加熱エレメント３０が電力供給されているときを指示するように設けることが可能であり、または異なる温度状態を表すために様々な周波数で断続的に振動することが可能である。そのうえ、ＬＥＤライト９０は、スイッチ４６の中に一体化させることが可能であり、それによってＬＥＤライト９０がスイッチ４６から突出するか、またはＬＥＤライト９０がスイッチ４６を通して見ることができるかのいずれかとなる。
【００４８】
ウェットワイプコンテナ１０は、様々な異なるサイズ、形状、および構成で具現化させることが可能である。様々なコンポーネントのそれぞれの詳細と機能性とは、互いに交換可能であり、様々な実施形態を通して持たれている。本明細書に提供されている説明図と例とは、例示の目的のためのものであり、添付の特許請求の範囲を限定することを意図していない。本発明の広い発明概念から逸脱することなく、上述の実施形態に対して変形または修正を行うことが可能であるということが、当業者によって認識されることとなる。したがって、本発明は、説明されている特定の実施形態に限定されず、本発明の範囲および精神の中のすべての修正および変形をカバーすることを意図しているということが理解される。
【符号の説明】
【００４９】
１０…ウェットワイプウォーマー
１１…ハウジング
１２…蓋
１３…ウェットワイプ
１４…ワイプアクセスドア
１５…ワイプアクセス開口部
１５…分配開口部
１６…コンパートメント
１９…ラッチ
２０…スプレーポンプメカニズム
２２…コンパートメント
２２…内部液体コンパートメント
２３…保湿流体
２４…押しボタン
２５…拡張ラグ
２６…内部流体チャネル
２７…流体スプレー
２８…出口部
２９…下降チューブ
３０…加熱エレメント
３４…後方キャビティー
３６…前方キャビティー
４０…中間押しボタン
４２…電源
４６…スイッチ
５０…主本体部材
５１…外部側ハウジング壁部
５２…下側ベース端部
５３…ヒンジ
５４…ベース部材
５７…膜
５８…スリット
７０…スプレーポンプ凹部
７１…凹形表面
７２…トラック
７３…下側リップ部
７４…部分
７６…凸形表面
７７…外側縁部
７８…底部表面
７９…レッジ部
８０…受け入れ溝部
８２…押しボタンラッチ
８４…ヒンジスプリング
８６…アクセスドアヒンジ
９０…インジケーター
１０２…弾性ワイプアクセスドアシール
１０４…当接表面
１０６…弾性蓋シール
１２４…押しボタン
【図１】
2019108168.tif 000003
【図２】
2019108168.tif 000004
【図３】
2019108168.tif 000005
【図４】
2019108168.tif 000006
【図５】
2019108168.tif 000007
【図６】
2019108168.tif 000008
【図７】
2019108168.tif 000009
【図８】
2019108168.tif 000010
【図９】
2019108168.tif 000011
【図１０】
2019108168.tif 000012
【図１１】
2019108168.tif 000013
【図１２】
2019108168.tif 000014
【図１３】
2019108168.tif 000015
【図１４】
2019108168.tif 000016
【図１５】
2019108168.tif 000017
【図１６】
2019108168.tif 000018
【図１７】
2019108168.tif 000019
【図１８】
2019108168.tif 000020
【図１９】
2019108168.tif 000021
【図２０】
2019108168.tif 000022
【図２１】
2019108168.tif 000023
【図２２】
2019108168.tif 000024
【図２３】
2019108168.tif 000025
【図２４】
2019108168.tif 000026
【図２５】
2019108168.tif 000027
【図２６】
2019108168.tif 000028
【図２７】
2019108168.tif 000029
【図２８】
2019108168.tif 000030
【図２９】
2019108168.tif 000031
【図３０】
2019108168.tif 000032
【図３１】
2019108168.tif 000033
【図３２】
2019108168.tif 000034
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
複数のウェットワイプを含有するための内部コンパートメントを有するウェットワイプハウジングと、
前記複数のウェットワイプのうちの少なくとも１つのウェットワイプが分配される分配開口部と、閉位置にあるとき前記分配開口部を覆うように適合されている分配蓋と、を有する蓋と、
流体を分配するための押しボタンアクチュエーターと、前記ウェットワイプハウジングの中の貯蔵位置にある前記複数のウェットワイプの上に直接的に流体を分配するように位置付けされている出口部と、を有するスプレーディスペンサーと、を備えるウェットワイプコンテナであって、
前記分配蓋が拡張ラグを備え、前記拡張ラグは、前記分配蓋が閉位置にあるとき、前記分配蓋の押し下げに応じて、前記スプレーディスペンサーの前記押しボタンアクチュエーターを直接的に又は間接的に押し下げるものである、ウェットワイプコンテナ。
【請求項２】
前記ウェットワイプハウジングが、前記スプレーディスペンサーをしっかりと受け入れるように適合されている内部凹部を有している、請求項１に記載のウェットワイプコンテナ。
【請求項３】
前記ウェットワイプハウジングの前記内部凹部が、前記スプレーディスペンサーを受け入れて固定するための少なくとも１つのアライメント特徴を有している、請求項２に記載のウェットワイプコンテナ。
【請求項４】
前記複数のウェットワイプを加温することを容易にするために、前記ウェットワイプハウジングまたは前記蓋の中にヒーターをさらに備える、請求項１に記載のウェットワイプコンテナ。
【請求項５】
前記ウェットワイプコンテナが、前記押しボタンアクチュエーターと接触している中間押しボタンをさらに備え、前記中間押しボタンは、前記蓋又は前記分配蓋が閉位置にあるときに利用可能である、請求項１に記載のウェットワイプコンテナ。
【請求項６】
前記分配蓋が閉位置にあるとき、前記拡張ラグが前記中間押しボタンを押し下げ、前記中間押しボタンが前記スプレーディスペンサーの前記押しボタンアクチュエーターを押し下げる、請求項５に記載のウェットワイプコンテナ。
【請求項７】
前記押しボタンアクチュエーターは、前記蓋が閉位置にあるときに利用可能である、請求項１に記載のウェットワイプコンテナ。
【請求項８】
前記分配蓋が開位置に向けて付勢されている、請求項７に記載のウェットワイプコンテナ。
【請求項９】
前記押しボタンアクチュエーターは、前記分配蓋が閉位置にあるときに利用可能である、請求項１に記載のウェットワイプコンテナ。
【請求項１０】
前記蓋が開位置又閉位置にあるとき、前記ウェットワイプハウジング中の前記複数のウェットワイプの頂部表面が、前記複数のウェットワイプの露出された部分を含む、請求項１に記載のウェットワイプコンテナ。
【請求項１１】
複数のウェットワイプを含有するための内部コンパートメントを有するウェットワイプハウジングと、
前記複数のウェットワイプのうちの少なくとも１つのウェットワイプが分配されるワイプアクセス開口部を有する前記ウェットワイプハウジングに接続されている蓋と、
閉位置にあるときに前記ワイプアクセス開口部をカバーするように適合されているワイプアクセスドアと、
流体を分配するためのアクチュエーター、および前記蓋が閉位置にある状態で前記複数のウェットワイプの上に直接的に流体を分配するように位置付けされている出口部を有するスプレーポンプメカニズムと、を備えるウェットワイプコンテナシステムであって、
前記ワイプアクセスドアが拡張ラグを備え、前記拡張ラグは、前記ワイプアクセスドアが閉位置にあるとき、前記ワイプアクセスドアの押し下げに応じて、前記スプレーポンプメカニズムの前記アクチュエーターを直接的に又は間接的に押し下げるものである、ウェットワイプコンテナシステム。
【請求項１２】
前記スプレーポンプメカニズムが、前記ウェットワイプハウジングの中に固定されている、請求項１１に記載のウェットワイプコンテナシステム。
【請求項１３】
前記アクチュエーターは、前記蓋が前記閉位置にある状態で、直接的または間接的に、のいずれかで、押し下げることが可能である、請求項１１に記載のウェットワイプコンテナシステム。
【請求項１４】
前記閉位置に前記ワイプアクセスドアを固定するための第１のラッチと、前記蓋を前記ウェットワイプハウジングに固定するための第２のラッチとをさらに備える、請求項１１に記載のウェットワイプコンテナシステム。
【請求項１５】
前記ワイプアクセスドアが、開位置に向けて付勢されている、請求項１４に記載のウェットワイプコンテナシステム。
【請求項１６】
前記第１のラッチが、押しボタンラッチである、請求項１４に記載のウェットワイプコンテナシステム。
【請求項１７】
前記ウェットワイプハウジングが、前記スプレーポンプメカニズムをしっかりと受け入れるように適合されている内部凹部を有している、請求項１１に記載のウェットワイプコンテナシステム。
【請求項１８】
前記ウェットワイプハウジングの前記内部凹部が、前記スプレーポンプメカニズムを受け入れて固定するための少なくとも１つのアライメント特徴を有している、請求項１７に記載のウェットワイプコンテナ。
【手続補正２】
【補正対象書類名】明細書
【補正対象項目名】００４８
【補正方法】変更
【補正の内容】
【００４８】
ウェットワイプコンテナ１０は、様々な異なるサイズ、形状、および構成で具現化させることが可能である。様々なコンポーネントのそれぞれの詳細と機能性とは、互いに交換可能であり、様々な実施形態を通して持たれている。本明細書に提供されている説明図と例とは、例示の目的のためのものであり、添付の特許請求の範囲を限定することを意図していない。本発明の広い発明概念から逸脱することなく、上述の実施形態に対して変形または修正を行うことが可能であるということが、当業者によって認識されることとなる。したがって、本発明は、説明されている特定の実施形態に限定されず、本発明の範囲および精神の中のすべての修正および変形をカバーすることを意図しているということが理解される。
以下に、出願当初の特許請求の範囲に記載の事項を、そのまま、付記しておく。
［１］  ウェットワイプを含有するための内部コンパートメントを有するウェットワイプハウジングと、
前記ハウジングに接続されている蓋と、
前記ハウジングの中の貯蔵位置にある前記ウェットワイプの上に直接的に流体を分配するように位置付けされている出口部を有するスプレーディスペンサーとを備えるウェットワイプコンテナ。
［２］  前記ウェットワイプハウジングが、前記スプレーディスペンサーをしっかりと受け入れるように適合されている内部凹部を有している、［１］に記載のウェットワイプコンテナ。
［３］  前記ウェットワイプハウジングの前記内部凹部が、前記スプレーディスペンサーを受け入れて固定するための少なくとも１つのアライメント特徴を有している、［２］に記載のウェットワイプコンテナ。
［４］  前記ウェットワイプを加温することを容易にするために、前記ウェットワイプハウジングまたは前記蓋の中にヒーターをさらに備える、［１］に記載のウェットワイプコンテナ。
［５］  前記蓋が、分配開口部を有しており、前記分配開口部を通して、少なくとも１つのワイプが分配され、分配システムが、分配蓋をさらに備える、［１］に記載のウェットワイプコンテナ。
［６］  前記スプレーディスペンサーが、前記流体を分配するための押しボタンアクチュエーターを有している、［５］に記載のウェットワイプコンテナ。
［７］  前記ウェットワイプコンテナが、前記押しボタンアクチュエーターと接触している中間押しボタンをさらに備え、前記中間押しボタンは、前記蓋が閉位置にあるときにアクセス可能である、［６］に記載のウェットワイプコンテナ。
［８］  前記分配蓋が、拡張ラグを有しており、前記拡張ラグは、前記分配蓋が閉位置にあるときに、前記中間押しボタンまたはスプレーディスペンサーを押し下げる、［７］に記載のウェットワイプコンテナ。
［９］  前記中間押しボタンは、前記分配蓋が閉位置にあるときにアクセス可能である、［７］に記載のウェットワイプコンテナ。
［１０］  前記押しボタンアクチュエーターは、前記蓋が閉位置にあるときにアクセス可能である、［６］に記載のウェットワイプコンテナ。
［１１］  前記分配蓋が、拡張ラグを有しており、前記拡張ラグは、前記分配蓋が閉位置にあるときに、前記押しボタンアクチュエーターを押し下げる、［１０］に記載のウェットワイプコンテナ。
［１２］  前記押しボタンアクチュエーターは、前記分配蓋が閉位置にあるときにアクセス可能である、［１０］に記載のウェットワイプコンテナ。
［１３］  ウェットワイプを含有するための内部コンパートメントを有するウェットワイプハウジングと、
ワイプアクセス開口部を有する前記ウェットワイプハウジングに接続されている蓋と、
閉位置にあるときに前記ワイプアクセス開口部をカバーするように適合されているワイプアクセスドアと、
アクチュエーター、および前記蓋が閉位置にある状態で前記ウェットワイプの上に直接的に流体を分配するように位置付けされている出口部を有するスプレーポンプメカニズムと
を備えるウェットワイプコンテナシステム。
［１４］  前記スプレーポンプメカニズムが、前記ウェットワイプハウジングの中に固定されている、［１３］に記載のウェットワイプコンテナシステム。
［１５］  前記アクチュエーターは、前記蓋が前記閉位置にある状態で、直接的または間接的にのいずれかで、押し下げることが可能である、［１３］に記載のウェットワイプコンテナシステム。
［１６］  前記閉位置に前記ワイプアクセスドアを固定するための第１のラッチと、前記蓋を前記ウェットワイプハウジングに固定するための第２のラッチとをさらに備える、［１３］に記載のウェットワイプコンテナシステム。
［１７］  前記ワイプアクセスドアが、開位置に向けて付勢されている、［１６］に記載のウェットワイプコンテナシステム。
［１８］  前記第１のラッチが、押しボタンラッチである、［１６］に記載のウェットワイプコンテナシステム。
［１９］  内部コンパートメントを有するコンテ
ナの中にウェットワイプを設置することであって、分配開口部を有する蓋が前記コンテナに接続されており、分配蓋は閉位置にあるときに前記分配開口部をカバーするように適合されている、設置することと、
流体のためのコンパートメント、アクチュエーター、および前記ウェットワイプの近位に位置付けされている出口部を有するスプレーポンプメカニズムを提供することと、
前記蓋が閉められているかまたは閉位置にある間に、前記アクチュエーターを押し下げることと、
前記内部コンパートメントの中の前記ウェットワイプの上に直接的に前記流体を分配することと
を備える、ワイプを湿らせる方法。
［２０］  前記アクチュエーターを押し下げるときに、前記蓋が前記閉位置にある状態で、前記ディスペンサー蓋の上の拡張ラグに係合し、前記アクチュエーターを直接的にまたは間接的にのいずれかで押し下げる、［１９］に記載の方法。
【外国語明細書】
2019108168000001.pdf